(57)【要約】氷を生成するための製氷皿１１１と、製氷皿１１１の左右の端部のそれぞれから上方へ延設される左右の側壁１１２Ｌ，１１２Ｒと、を備える製氷トレイ１１０が提供される。左右の側壁１１２Ｌ，１１２Ｒの各々の外周は、製氷皿１１１の左右の中央を中心にした円Ｃに沿った形状に構成されている。
2019012715.tif 000002
【特許請求の範囲】
【請求項１】
氷を生成するための製氷皿と、
前記製氷皿の左右の端部のそれぞれから上方へ延設される左右の側壁と、を備える製氷トレイであって、
前記左右の側壁の各々の外周は、前記製氷皿の左右の中央を中心にした円に沿った形状に構成されている、製氷トレイ。
【請求項２】
前記製氷皿と前記左右の側壁は互いに別部材であって、前記左右の側壁が前記製氷皿よりも柔らかく構成されている、請求項１に記載の製氷トレイ。
【請求項３】
前記左右の側壁の各々は、上部が下部よりも柔らかく構成されている、請求項１または２に記載の製氷トレイ。
【請求項４】
請求項１から３のいずれか１項に記載の製氷トレイと、
冷凍庫の扉に取り付け可能であって、前記製氷皿を前記円の中心を中心にして回動可能に保持するケースと、を備える製氷ユニット。
【請求項５】
前記製氷トレイが、前記製氷皿の前後の端部のそれぞれから上方へ延設される前後の壁面をさらに備える、請求項４に記載の製氷ユニット。
【請求項６】
前記前後の壁面の各々の外周は、前記製氷皿の左右の中央を中心にした円に沿った形状に構成されている、請求項５に記載の製氷ユニット。
【請求項７】
前記製氷皿には、供給された水を回転軸方向に複数箇所に仕切るための複数の仕切りが形成され、
前記複数の仕切りのうちの第１の仕切りの上部に溝が形成され、
前記第１の仕切りに対向する第２の仕切りには、前記溝に対向する位置に溝が形成されない、請求項４から６のいずれか１項に記載の製氷ユニット。
【発明の詳細な説明】
【技術分野】
【０００１】
本発明は、冷凍庫などに載置または搭載される製氷トレイおよび製氷ユニットの技術に関する。
【背景技術】
【０００２】
氷を製造するための製氷ユニットが知られている。例えば、特開２０１０−１１２６７６号公報（特許文献１）には、冷蔵庫が開示されている。特許文献１によると、製氷皿と、製氷皿からの水こぼれを阻止する水こぼれ阻止体とを設ける。冷気供給口から水こぼれ阻止体の内側まで冷気を導く冷気ガイドを設ける。冷気ガイドの冷気吹出口から水こぼれ阻止体の内側に冷気を吹き出す。冷気が、水こぼれ阻止体によって遮断されることなく、製氷皿の水を凍らせる。製氷皿と水こぼれ阻止体とを別体に設ける。水こぼれ阻止体を分離させつつ、製氷皿を傾ける。氷が、水こぼれ阻止体で阻害されることなく、製氷皿から取り出される。
【先行技術文献】
【特許文献】
【０００３】
【特許文献１】特開２０１０−１１２６７６号公報
【発明の概要】
【発明が解決しようとする課題】
【０００４】
先行文献に記載の技術では、水こぼれ阻止体は製氷皿とは別体に設けられており、長期間の使用などで製氷皿と水こぼれ阻止体との間に隙間ができ、その隙間から水がこぼれるおそれがある。また、先行文献に記載の技術では、ドアを開閉動作による製氷皿からの水こぼれについては考慮されていない。【０００５】
そこで、本発明は、より水こぼれを防止し、利便性の高い製氷トレイまたは製氷ユニットを提供することを目的とする。
【課題を解決するための手段】
【０００６】
本発明のある態様に従うと、氷を生成するための製氷皿と、製氷皿の左右の端部のそれぞれから上方へ延設される左右の側壁と、を備える製氷トレイが提供される。左右の側壁の各々の外周は、製氷皿の左右の中央を中心にした円に沿った形状に構成されている。
【発明の効果】
【０００７】
以上のように、本発明によると、より水こぼれを防止し、利便性の高い製氷トレイまたは製氷ユニットが提供される。
【図面の簡単な説明】
【０００８】
【図１】第１の実施の形態にかかる製氷ユニット１００を示す斜視図である。
【図２】第１の実施の形態にかかる、冷凍庫の扉２００に取り付けられた製氷ユニット１００の斜視図である。
【図３】第１の実施の形態にかかる、冷凍庫の扉２００に取り付けられた製氷ユニット１００の左側面である。
【図４】第１の実施の形態にかかる、冷凍庫の扉２００に取り付けられた製氷ユニット１００の前面図である。
【図５】第１の実施の形態にかかる製氷ユニット１００の組立図である。
【図６】第１の実施の形態にかかる製氷皿１１１の斜視図である。
【図７】第１の実施の形態にかかる製氷皿１１１の平面図である。
【図８】第１の実施の形態にかかる製氷皿１１１の前面断面図である。
【図９】第１の実施の形態にかかる製氷トレイ１１０の斜視図である。
【図１０】第１の実施の形態にかかる製氷トレイ１１０の平面図である。
【図１１】第１の実施の形態にかかる製氷トレイ１１０の前面断面図である。
【図１２】第１の実施の形態にかかる製氷ユニット１００の前面断面図である。
【図１３】第２の実施の形態にかかる製氷皿１１１の平面図である。
【図１４】第３の実施の形態にかかる製氷皿１１１の平面図である。
【図１５】第４の実施の形態にかかる製氷皿１１１の平面図である。
【図１６】第５の実施の形態にかかる製氷ユニット１００の前面断面図である。
【図１７】第６の実施の形態にかかる製氷ユニット１００の前面断面図である。
【発明を実施するための形態】
【０００９】
以下、図面を参照しつつ、本発明の各実施形態について説明する。以下の説明では、同一の部品には同一の符号を付してある。それらの名称および機能も同じである。したがって、それらについての詳細な説明は繰り返さない。
＜第１の実施形態＞
＜製氷ユニットの全体構成＞
【００１０】
まず、本実施の形態にかかる製氷ユニット１００の構成について説明する。図１を参照して、本実施の形態にかかる製氷ユニット１００は、複数の氷を作るための製氷トレイ１１０と、当該製氷トレイ１１０を収容する製氷ケース１２０とを含む。
【００１１】
図２と図３と図４を参照して、本実施の形態にかかる製氷ユニット１００は、その裏面、たとえば右側面、を冷凍庫の扉２００に取り付けることができる。なお、図２は、冷凍庫の扉２００に取り付けられた製氷ユニット１００の斜視図である。図３は、冷凍庫の扉２００に取り付けられた製氷ユニット１００の左側面である。図４は、冷凍庫の扉２００に取り付けられた製氷ユニット１００の前面図である。なお、製氷ユニット１００は、冷凍庫の扉２００に取り付けられるだけでなく、冷凍庫の棚や床に載置することも可能である。
【００１２】
図５を参照して、本実施の形態にかかる製氷ユニット１００は、製氷ケース１２０に製氷トレイ１１０が挿入されることによって使用される。製氷ケース１２０の上面には上カバー１２３が取り付けられる。上カバー１２３は中央部が開口されて製氷前の水の投入口となる。製氷ケース１２０の下部は、左方から貯氷ケース１２２が装着される。貯氷ケース１２２には、製氷トレイ１１０から生成された氷が落下してくる。
【００１３】
製氷ケース１２０の上部の前面には開口部１２１Ｘが形成される。当該開口部１２１Ｘに、前方から製氷トレイ１１０が挿入される。製氷トレイ１１０は、製氷皿１１１と、カバー部材１１２Ｌ，１１２Ｒと、製氷皿１１１の回動機構などから構成される。本実施の形態においては、製氷トレイ１１０が製氷ケース１２０に取り付けされて、製氷が完了した際に、ユーザが製氷トレイ１１０に対して回動レバー１１５と製氷皿１１１とを回転させて氷を貯氷ケース１２２に落下させる構成となっている。
【００１４】
次に、図６と図７と図８とを参照して、本実施の形態にかかる製氷皿１１１について説明する。なお、図６は、本実施の形態にかかる製氷皿１１１の斜視図である。図７は、本実施の形態にかかる製氷皿１１１の平面図である。図８は、本実施の形態にかかる製氷皿１１１の前面断面図である。製氷皿１１１は、製氷皿１１１に注入された水を前後方向に仕切るための複数の第１の横仕切１１１１と複数の第２の横仕切１１１２とが交互に形成されている。
【００１５】
また、製氷皿１１１は、製氷皿１１１に注入された水を左右方向に仕切るための第１の縦仕切１１１３と第２の縦仕切１１１４とが形成されている。つまり、本実施の形態においては、複数の第１の横仕切１１１１と複数の第２の横仕切１１１２とは、第１の縦仕切１１１３と第２の縦仕切１１１４とを挟んで、２列分形成されている。より詳細には、製氷皿１１１の一番前と一番後とに第１の縦仕切１１１３が形成され、その間には複数の第２の縦仕切１１１４，１１１４・・・が形成されている。
【００１６】
第１の横仕切１１１１の上部には、製氷皿１１１の内側よりに溝１１１１Ｘが形成される。第２の横仕切１１１２の上部には、製氷皿１１１の外側よりに溝１１１２Ｘが形成される。第１の縦仕切１１１３の上部には、溝１１１３Ｘが形成される。第２の縦仕切１１１４の上部には溝が形成されない。
【００１７】
このように、製氷皿１１１には、溝１１１１Ｘ，１１１２Ｘ，１１１３Ｘが形成されているので、いずれかの位置から水を供給しても、当該水が溝１１１１Ｘ，１１１２Ｘ，１１１３Ｘを通って素早く全ての仕切内に拡散する。
【００１８】
しかも、本実施の形態においては、対向しあう第１の横仕切１１１１と第２の横仕切１１１２は、形成される溝１１１１Ｘ，１１１２Ｘの位置が互いに異なるので、たとえば扉２００を開閉するときに、扉２００の開閉動作によって製氷皿１１１内の水に遠心力や慣性力がかかっても、によって水が溝１１１１Ｘ，１１１１Ｘ，１１１１Ｘを一気に通過することを防止することができる。すなわち、扉２００の回動による遠心力などがあっても、溝１１１１Ｘを通過した水が第２の横仕切１１１２の溝１１１２Ｘが形成されていない箇所にぶつかって勢いを失い、溝１１１２Ｘを通過した水が第１の横仕切１１１１の溝１１１１Ｘが形成されていない箇所にぶつかって勢いを失うので、製氷皿１１１の前端部または後端部から水が飛び出す可能性を低減することができる。
【００１９】
さらに、製氷皿１１１の前端部には、水が外にこぼれにくいように、壁面１１１５が形成される。製氷皿１１１の後端部にも、水が外にこぼれにくいように、壁面１１１６が形成される。このような構成によっても、たとえば扉２００を開閉するときに遠心力などによって、製氷皿１１１の前端部または後端部から水が飛び出す可能性を低減することができる。また、製氷皿１１１の右端部または左端部には、後述するカバー部材が取り付け可能となっている。
【００２０】
次に、図９と図１０と図１１とを参照して、本実施の形態にかかる製氷トレイ１１０について説明する。なお、図９は、本実施の形態にかかる製氷トレイ１１０の斜視図である。図１０は、本実施の形態にかかる製氷トレイ１１０の平面図である。図１１は、本実施の形態にかかる製氷トレイ１１０の前面断面図である。製氷トレイ１１０は、前部材１１７と後部材１１８とが、右部材１１９Ｒと左部材１１９Ｌとによって連結される。すなわち、前部材１１７と右部材１１９Ｒと後部材１１８と左部材１１９Ｌと長方形の枠体を構成する。製氷トレイ１１０は、当該枠体の内側に製氷皿１１１を保持する。
【００２１】
そして、前部材１１７と後部材１１８とによって製氷皿１１１を回動可能に保持する。より詳細には、前部材１１７内で回動可能に保持される回動レバー１１５の背面に製氷皿１１１の前部が連結される。ユーザは、供給された水が複数の氷になった後に、回動レバー１１５を回動させることによって製氷皿１１１を回動させて、氷を貯氷ケース１２２に落下させる。
【００２２】
より詳細には、製氷皿１１１の後部に当接部材１１６が取り付けられ、ユーザが製氷皿１１１を１８０°回転させると、当接部材１１６が後部材１１８にぶつかり、製氷皿１１１の後部がそれ以上回動しなくなる。このようにして、製氷皿１１１がねじられて、製氷皿１１１の氷が製氷皿１１１から離れて貯氷ケース１２２に落下する。
【００２３】
特に本実施の形態においては、製氷皿１１１の右端部の上面には上方に向けてカバー部材１１２Ｒが取り付けられる。製氷皿１１１の左端部の上面にも上方に向けてカバー部材１１２Ｌが取り付けられる。当該カバー部材１１２Ｌ、１１２Ｒによって、製氷皿１１１に供給された水が、製氷トレイ１１０の左右方向に飛び散りにくくなる。
【００２４】
さらに本実施の形態においては、図９から図１２に示すように、カバー部材１１２Ｌ、１１２Ｒは、製氷皿１１１が回動される際に製氷ケース１２０の内部にぶつからないように、カバー部材１１２Ｌ、１１２Ｒの外周が、製氷皿１１１の回転軸を中心Ｏとし、製氷皿１１１の右端部または左端部までの距離を半径とした円Ｃに沿った形状に形成されている。
【００２５】
これによって、製氷ケース１２０のサイズを大きくすることなく、製氷皿１１１からの水の飛び散りを低減させることができる。
【００２６】
なお、前後の壁面１１１５，１１１６の各々の外周も、円Ｃに沿った形状としてもよい。このとき、前後の壁面１１１５，１１１６の各々の外周は、隣り合うカバー部材１１２Ｌ、１１２Ｒの高さと略同じ高さまでは円Ｃに沿った形状とし、カバー部材１１２Ｌ、１１２Ｒの高さより上となる部分は水平に切り取られた形状としてもよい。これにより、製氷皿１１１からの水の飛び散りを低減させながら、製氷皿１１１がねじられ難くなることを抑制できる。
【００２７】
なお、本実施の形態においては、カバー部材１１２Ｌ，１１２Ｒは、下部材１１２１Ｌ，１１２１Ｒと上部材１１２２Ｌ，１１２２Ｒとから構成される。そして、上部材１１２２Ｌ，１１２２Ｒが製氷皿１１１よりも柔らかい部材で構成されている。たとえば、製氷皿１１１がポリプロピレンで形成され、上部材１１２２Ｌ，１１２２Ｒがポリスチレンで形成される。あるいは、カバー部材１１２Ｌ、１１２Ｒが、製氷皿１１１よりも薄く形成されるものであってもよい。これによって、氷ができたあとに、製氷皿１１１とカバー部材１１２Ｌ，１１２Ｒとが回転してねじられた際に、当該氷が上部材１１２２Ｌ，１１２２Ｒにひっかからずに、スムーズに貯氷ケース１２２に落下する。
【００２８】
あるいは、下部材１１２１Ｌ，１１２１Ｒが製氷皿１１１よりも柔らかい部材で構成されて、さらに上部材１１２２Ｌ，１１２２Ｒが下部材１１２１Ｌ，１１２１Ｒよりも柔らかい部材で構成されてもよい。あるいは、下部材１１２１Ｌ，１１２１Ｒが製氷皿１１１よりも薄く形成されて、さらに上部材１１２２Ｌ，１１２２Ｒが下部材１１２１Ｌ，１１２１Ｒよりも薄く形成されてもよい。これによって、氷ができたあとに製氷皿１１１とカバー部材１１２Ｌ，１１２Ｒとが回転してねじられた際に、当該氷が上部材１１２２Ｌ，１１２２Ｒにひっかからずに、スムーズに貯氷ケース１２２に落下する。
【００２９】
なお、カバー部材１１２Ｌ，１１２Ｒは、製氷皿１１１とは別部品とすることが好ましい。これにより、カバー部材１１２Ｌ，１１２Ｒと製氷皿１１１とのそれぞれに好適な部材を使用することができる。また、長期間の使用によりカバー部材１１２Ｌ，１１２Ｒの柔らかく、あるいは薄く形成されている部分などが変形や劣化してしまった場合であっても、カバー部材１１２Ｌ，１１２Ｒだけを容易に交換できる。
【００３０】
そして、本実施の形態においては、図１２に示すように、製氷ケース１２０の左側壁の、製氷トレイ１１０または製氷皿１１１またはカバー部材１１２Ｌ，１１２Ｒの左側方には、左開口部１２１Ｌが形成される。これによって、製氷ケース１２０内への冷気の導入が促進されて製氷皿１１１が冷却されやすく構成されている。
【００３１】
そして、左開口部１２１Ｌの上部には、ケース１２０の内側かつ斜め下方に向けて、カバー１２１１Ｌが形成されている。これによって、製氷皿１１１に水が供給された際に、当該水が左開口部１２１Ｌから外へ飛び出さないように構成されている。
【００３２】
同様に、製氷ケース１２０の右側壁の、製氷トレイ１１０または製氷皿１１１またはカバー部材１１２Ｌ，１１２Ｒの右側方には、右開口部１２１Ｒが形成される。これによって、製氷皿１１１が冷却されやすく構成されている。
【００３３】
そして、右開口部１２１Ｒの上部には、製氷ケース１２０の内側かつ斜め下方に向けて、カバー１２１１Ｒが形成されている。これによって、製氷皿１１１に水が供給された際に、当該水が右開口部１２１Ｒから外へ飛び出さないように構成されている。
＜第２の実施形態＞
【００３４】
第１の実施の形態の製氷皿１１１は、第１の横仕切１１１１と第２の横仕切１１１２とが交互に形成され、第２の横仕切１１１２の全ての上面の外側よりに溝１１１２Ｘが形成されるものであった。
【００３５】
しかしながら、図１３に示すように、第１の横仕切１１１１と第２の横仕切１１１２のうちのいずれかの部分に、溝が形成されない横仕切１１１０を形成し、当該横仕切１１１０に隣接する位置に溝１１１３Ｘが形成された縦仕切１１１３を形成してもよい。たとえば、前後方向に、最大３つぐらいまでだけ、２種類の溝１１１１Ｘ，１１１２Ｘが交互に形成され、横仕切１１１０の手前で縦仕切１１１３の溝１１１３Ｘによって左右方向に連通される。
【００３６】
これによって、供給された水の拡散スピードは遅くなるが、たとえば扉２００を開閉するときに遠心力などによって水が溝１１１１Ｘ，１１１１Ｘ，１１１１Ｘを一気に通過することを防止することができる。すなわち、溝１１１１Ｘを通過した水が第２の横仕切１１１２にぶつかって勢いを失うので、製氷皿１１１の前端部または後端部から水が飛び出す可能性を低減することができる。
＜第３の実施形態＞
【００３７】
第１の実施の形態の製氷皿１１１は、第１の横仕切１１１１と第２の横仕切１１１２とが交互に形成されるものであった。
【００３８】
しかしながら、図１４に示すように、内側よりに溝１１１１Ｘが形成される第１の横仕切１１１１が複数連続して形成されてもよい。そして、製氷皿１１１の前後中央部だけに外側よりに溝１１１２Ｘが形成される第２の横仕切１１１２が形成されてもよい。拡散スピードは遅くなるが、たとえば扉２００を開閉するときに遠心力などによって溝１１１１Ｘを通過した水が第２の横仕切１１１２にぶつかって勢いを失うので、製氷皿１１１の前端部または後端部から水が飛び出す可能性を低減することができる。
【００３９】
逆に、外側よりに溝１１１２Ｘが形成される第２の横仕切１１１２が複数連続して形成されてもよい。そして、製氷皿１１１の前後中央部だけに外側よりに溝１１１１Ｘが形成される第１の横仕切１１１１が形成されてもよい。拡散スピードは遅くなるが、たとえば扉２００を開閉するときに遠心力などによって溝１１１２Ｘを通過した水が第１の横仕切１１１１にぶつかって勢いを失うので、製氷皿１１１の前端部または後端部から水が飛び出す可能性を低減することができる。
＜第４の実施形態＞
【００４０】
第１の実施の形態の製氷皿１１１は、溝１１１３Ｘが形成される第１の縦仕切１１１３は、製氷皿１１１の前部と後部に１個所ずつ形成されるものであった。
【００４１】
しかしながら、図１５に示すように、第１の縦仕切１１１３を３つ以上形成してもよい。そして、左右方向に互いに隣り合う横仕切のいずれかの上部に溝を形成してもよい。換言すれば、製氷皿１１１の左側に関して、後方から順に、上部に溝１１１１Ｘが形成された横仕切１１１１、上部に溝が形成されない横仕切１１１０を交互に形成してもよい。そして、製氷皿１１１の右側に関しては、後方から順に、上部に溝が形成されない横仕切１１１０、上部に溝１１１１Ｘが形成された横仕切１１１１を交互に形成してもよい。これによって、供給された水の拡散スピードは遅くなるが、たとえば扉２００を開閉するときに遠心力などによって溝１１１１Ｘを通過した水が横仕切１１１０にぶつかって勢いを失うので、製氷皿１１１の前端部または後端部から水が飛び出す可能性を低減することができる。
【００４２】
上記の第１〜第４の実施の形態のように、製氷皿１１１の複数の仕切のうちの、いずれかの対向する仕切同士の溝の位置がオフセットされていれば、あるいは、いずれかの対向する仕切同士のいずれかに溝が形成されていなければ、たとえば扉２００を開閉するときに遠心力などによって第１の仕切の第１の溝を通過した水が第２の仕切にぶつかって勢いを失うので、製氷皿１１１の前端部または後端部から水が飛び出す可能性を低減することができる。
＜第５の実施形態＞
【００４３】
第１の実施の形態においては、カバー部材１１２Ｌ、１１２Ｒが、下部材１１２１Ｌ，１１２１Ｒと上部材１１２２Ｌ，１１２２Ｒとから構成されるものであった。
【００４４】
しかしながら、図１６に示すように、カバー部材１１２Ｌ、１１２Ｒが、１つの部材であってもよい。そして、カバー部材１１２Ｌ、１１２Ｒが、製氷皿１１１よりも柔らかい部材で構成されている。たとえば、製氷皿１１１がポリプロピレンで形成され、カバー部材１１２Ｌ、１１２Ｒがポリスチレンで形成される。あるいは、カバー部材１１２Ｌ、１１２Ｒが、製氷皿１１１よりも薄く形成されるものであってもよい。これによって、氷ができたあとに、製氷皿１１１とカバー部材１１２Ｌ，１１２Ｒとが回転してねじられた際に、当該氷がカバー部材１１２Ｌ、１１２Ｒにひっかからずに、スムーズに貯氷ケース１２２に落下する。
＜第６の実施形態＞
【００４５】
第１の実施の形態においては、製氷ケース１２０の、製氷トレイ１１０または製氷皿１１１またはカバー部材１１２Ｌ，１１２Ｒと同じ高さの位置の側壁に、左右の開口部１２１Ｌ，１２１Ｒが形成される。しかしながら、図１７に示すように、製氷ケース１２０の右側壁の、製氷トレイ１１０または製氷皿１１１またはカバー部材１１２Ｌ，１１２Ｒよりも高い位置に、右開口部１２１Ｒが形成されてもよい。これによって、第１の実施の形態と同様に製氷ケース１２０内への冷気の導入が促進されて製氷皿１１１が冷却されやすく構成されている。さらに、比重の重い冷気が高い位置から製氷皿１１１中の水に直接降り注ぐことで、製氷皿１１１中の水をより素早く氷とすることができる。
【００４６】
本実施の形態においては、右開口部１２１Ｒの下部に、ケース１２０の内側かつ斜め上方に向けて、カバー１２１２Ｒが形成されている。これによって、製氷皿１１１に水が供給された際に、製氷皿１１１から跳ね返った当該水が右開口部１２１Ｒから外へ飛び出さないように構成されている。
【００４７】
なお同様に、製氷ケース１２０の左側壁に関しても、製氷トレイ１１０または製氷皿１１１またはカバー部材１１２Ｌ，１１２Ｒよりも高い位置に、左開口部１２１Ｌが形成されてもよい。これによって、製氷皿１１１が冷却されやすく、また製氷皿１１１中の水をより素早く氷とするように構成されている。
【００４８】
そして、左開口部１２１Ｌの下部に、製氷ケース１２０の内側かつ斜め上方に向けて、カバーが形成されてもよい。これによって、製氷皿１１１に水が供給された際に、製氷皿１１１から跳ね返った当該水が左開口部１２１Ｌから外へ飛び出さないように構成されている。
＜まとめ＞
【００４９】
上述の第１から第６の実施形態では、氷を生成するための製氷皿１１１と、製氷皿１１１の左右の端部のそれぞれから上方へ延設される左右の側壁１１２Ｌ，１１２Ｒと、を備える製氷トレイ１１０が提供される。左右の側壁１１２Ｌ，１１２Ｒの各々の外周は、製氷皿１１１の左右の中央を中心Ｏにした円Ｃに沿った形状に構成されている。
【００５０】
好ましくは、製氷皿１１１と左右の側壁１１２Ｌ，１１２Ｒは互いに別部材である。左右の側壁１１２Ｌ，１１２Ｒが製氷皿１１１よりも柔らかく構成されている。
【００５１】
好ましくは、左右の側壁１１２Ｌ，１１２Ｒの各々は、上部１１２２Ｌ，１１２２Ｒが下部１１２１Ｌ，１１２１Ｒよりも柔らかく構成されている。
【００５２】
あるいは、上記の製氷トレイ１１０と、冷凍庫の扉２００に取り付け可能であって、製氷皿１１１を円Ｃの中心Ｏを中心にして回動可能に保持するケース１２０と、を備える製氷ユニット１００が提供される。
【００５３】
好ましくは、製氷トレイ１１０が、製氷皿１１１の前後の端部のそれぞれから上方へ延設される前後の壁面１１１５，１１１６をさらに備える。
【００５４】
好ましくは、前後の壁面１１１５，１１１６の各々の外周は、製氷皿１１１の左右の中央を中心にした円Ｃに沿った形状に構成されている。
【００５５】
好ましくは、製氷皿１１１には、供給された水を回転軸方向に複数箇所に仕切るための複数の仕切り１１１１，１１１２，１１１０が形成される。複数の仕切り１１１１，１１１２，１１１０のうちの第１の仕切り１１１１（１１１２）の上部に溝１１１１Ｘ（１１１２Ｘ）が形成される。第１の仕切り１１１１（１１１２）に対向する第２の仕切り１１１２（１１１１），１１１０には、溝１１１１Ｘ（１１１２Ｘ）に対向する位置に溝が形成されない。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００５７】
１００      ：製氷ユニット
１１０      ：製氷トレイ
１１１      ：製氷皿
１１２Ｌ    ：カバー部材（側壁）
１１２Ｒ    ：カバー部材（側壁）
１１５      ：回動レバー
１１６      ：当接部材
１１７      ：前部材
１１８      ：後部材
１１９Ｌ    ：左部材
１１９Ｒ    ：右部材
１２０      ：製氷ケース
１２１Ｌ    ：左開口部
１２１Ｒ    ：右開口部
１２１Ｘ    ：開口部
１２２      ：貯氷ケース
１２３      ：上カバー
２００      ：扉
１１１０    ：横仕切
１１１１    ：第１の横仕切
１１１１Ｘ  ：溝
１１１２    ：第２の横仕切
１１１２Ｘ  ：溝
１１１３    ：第１の縦仕切
１１１３Ｘ  ：溝
１１１４    ：第２の縦仕切
１１１５    ：壁面
１１１６    ：壁面
１１２１Ｌ  ：下部材
１１２１Ｒ  ：下部材
１１２２Ｌ  ：上部材
１１２２Ｒ  ：上部材
１２１１Ｌ  ：カバー
１２１１Ｒ  ：カバー
【図１】
2019012715.tif 000003
【図２】
2019012715.tif 000004
【図３】
2019012715.tif 000005
【図４】
2019012715.tif 000006
【図５】
2019012715.tif 000007
【図６】
2019012715.tif 000008
【図７】
2019012715.tif 000009
【図８】
2019012715.tif 000010
【図９】
2019012715.tif 000011
【図１０】
2019012715.tif 000012
【図１１】
2019012715.tif 000013
【図１２】
2019012715.tif 000014
【図１３】
2019012715.tif 000015
【図１４】
2019012715.tif 000016
【図１５】
2019012715.tif 000017
【図１６】
2019012715.tif 000018
【図１７】
2019012715.tif 000019
【国際調査報告】
2019012715.tif 000020
2019012715.tif 000021
2019012715.tif 000022
2019012715.tif 000023